(57)【特許請求の範囲】
【請求項１】
貨幣処理装置の少なくとも一部を含む領域の変化を検出するセンサ部と、
前記センサ部による検出範囲内に監視領域を設定する監視領域設定部と、
前記センサ部によって前記監視領域内で検出された変化が報知条件を満たすか否かを判定する報知条件判定部と、
前記報知条件判定部による判定結果に基づいて報知処理を実行する報知部と
を備え、
前記監視領域設定部は、前記貨幣処理装置で行われる処理に応じて、前記監視領域を自動設定することを特徴とする貨幣処理システム。
【請求項２】
前記監視領域設定部は、前記貨幣処理装置で入金処理が行われる際には入金口を含む範囲を前記監視領域に設定して、出金処理が行われる際には出金口を含む範囲を前記監視領域に設定することを特徴とする請求項１に記載の貨幣処理システム。
【請求項３】
貨幣処理装置の少なくとも一部を含む領域の変化を検出するセンサ部と、
前記センサ部による検出範囲内に監視領域を設定する監視領域設定部と、
前記センサ部によって前記監視領域内で検出された変化が報知条件を満たすか否かを判定する報知条件判定部と、
前記報知条件判定部による判定結果に基づいて報知処理を実行する報知部と
を備え、
前記監視領域設定部は、前記貨幣処理装置の操作者が監視領域を設定するジェスチャーを行うと、前記センサ部によって前記ジェスチャーを認識して監視領域を設定することを特徴とする貨幣処理システム。
【請求項４】
前記監視領域設定部は、前記操作者が手で領域を示す動作を認識して、該領域を監視領域に設定することを特徴とする請求項３に記載の貨幣処理システム。
【請求項５】
前記監視領域設定部は、前記操作者が物体を置いた後に所定の手の動きを行ったことを認識して、前記物体を含む領域を監視領域に設定することを特徴とする請求項３に記載の貨幣処理システム。
【請求項６】
前記センサ部による検出結果を、前記貨幣処理装置で行われている処理と関連付けて保存する記憶部
をさらに備えることを特徴とする請求項１〜５のいずれか１項に記載の貨幣処理システム。
【請求項７】
前記報知条件判定部は、前記センサ部によって検出した対象物の位置関係を３次元的に認識して、前記報知条件を満たすか否かを判定することを特徴とする請求項１〜６のいずれか１項に記載の貨幣処理システム。
【請求項８】
複数の監視領域を設定して、前記複数の監視領域のそれぞれに、異なる報知条件を設定可能であることを特徴とする請求項１〜７のいずれか１項に記載の貨幣処理システム。
【発明の詳細な説明】
【技術分野】
【０００１】
この発明は、貨幣処理装置で行われる処理を監視して、必要に応じて操作の案内や警告等の報知を行う貨幣処理システムに関する。
【背景技術】
【０００２】
従来、銀行等の金融機関の営業店では、店内の現金、すなわち貨幣を管理するため、出納機と称する大型の貨幣処理装置が利用されている。この貨幣処理装置は、営業店の窓口で顧客との取引を行う窓口係員（テラー）や窓口後方の出納員等の操作者によって操作され、取引に伴う入金処理や出金処理を行うために利用される。このような貨幣処理装置として、例えば特許文献１には、操作者に対する各種の操作案内等を表示する表示部、装置内に収納されているバラ紙幣、束紙幣、バラ硬貨、包装硬貨等の在高を装置在高として記憶する記憶部、入金処理や出金処理等を行うために各部を制御する制御部等を有する貨幣処理装置が開示されている。
【０００３】
貨幣処理装置では、貨幣を処理している間に装置内の搬送路等に貨幣が詰まったジャムと呼ばれる状態になることがある。ジャム等の搬送エラーが発生したために装置が停止して貨幣処理を継続できない状態になると、操作者は、ジャムの原因となった貨幣と、搬送路上に滞留している他の貨幣とを装置内から取り出して、エラーを解除するための復旧作業を開始する。また、復旧作業時に取り出した貨幣の中に、本来は貨幣処理装置内へ収納されているべき貨幣が含まれている場合に、この貨幣を装置内へ戻すためのエラー現金戻し処理が行われる。
【先行技術文献】
【特許文献】
【０００４】
【特許文献１】特開２００３−１５０７９３号公報
【発明の概要】
【発明が解決しようとする課題】
【０００５】
しかしながら、上記従来装置で、誤った処理が行われることがあった。具体的には、操作者が復旧作業を行って装置内の貨幣を装置外へ取り出したところで顧客に対応する必要が生ずると、操作者は、装置内へ戻すべき貨幣を装置の筐体上に置いたまま、顧客対応を行うことがある。このとき筐体上に置かれた貨幣は、顧客対応を終えた操作者によって装置内へ戻されることになるが、この貨幣を装置内へ戻すことなく、例えば、別の操作者が誤って入金処理等の別の処理で処理してしまうことがあった。装置内へ戻すべき貨幣が、例えば別の入金処理で入金されてしまうと、貨幣処理装置内に収納されているべき貨幣在高と実際の在高とが一致しなくなるため、貨幣処理に関して記録されたデータや貨幣在高等を確認して修正する必要がある。
【０００６】
また、貨幣処理中に、貨幣処理装置内部への硬貨や異物の落下等、予期せぬ事態が生じて貨幣処理を続行できなくなる場合があった。例えば、硬貨等の入ったキャッシュトレイを入金口又は出金口の近くに置いたまま入金処理や出金処理を行って、キャッシュトレイの硬貨が誤って入金口又は出金口から装置内部に落下すると、装置内に落下した硬貨を取り出すために貨幣処理を中断する必要がある。
【０００７】
本発明は、上記従来技術の課題を解消するためになされたもので、貨幣処理で行われる処理や作業を監視して、この処理や作業を正常な状態で継続できるように、必要に応じて操作の案内、警告等の報知を行うことができる貨幣処理システムを提供することを目的とする。
【課題を解決するための手段】
【０００８】
上述した課題を解決し、目的を達成するため、本発明は、貨幣処理システムであって、貨幣処理装置の少なくとも一部を含む領域の変化を検出するセンサ部と、前記センサ部による検出範囲内に監視領域を設定する監視領域設定部と、前記センサ部によって前記監視領域内で検出された変化が報知条件を満たすか否かを判定する報知条件判定部と、前記報知条件判定部による判定結果に基づいて報知処理を実行する報知部とを備え、前記監視領域設定部は、前記貨幣処理装置で行われる処理に応じて、前記監視領域を自動設定することを特徴とする。
【００１０】
また、本発明は、上記発明において、前記監視領域設定部は、前記貨幣処理装置で入金処理が行われる際には入金口を含む範囲を前記監視領域に設定して、出金処理が行われる際には出金口を含む範囲を前記監視領域に設定することを特徴とする。
【００１１】
また、本発明は、貨幣処理システムであって、貨幣処理装置の少なくとも一部を含む領域の変化を検出するセンサ部と、前記センサ部による検出範囲内に監視領域を設定する監視領域設定部と、前記センサ部によって前記監視領域内で検出された変化が報知条件を満たすか否かを判定する報知条件判定部と、前記報知条件判定部による判定結果に基づいて報知処理を実行する報知部とを備え、前記監視領域設定部は、前記貨幣処理装置の操作者が監視領域を設定するジェスチャーを行うと、前記センサ部によって前記ジェスチャーを認識して監視領域を設定することを特徴とする。
【００１２】
また、本発明は、上記発明において、前記監視領域設定部は、前記操作者が手で領域を示す動作を認識して、該領域を監視領域に設定することを特徴とする。
【００１３】
また、本発明は、上記発明において、前記監視領域設定部は、前記操作者が物体を置いた後に所定の手の動きを行ったことを認識して、前記物体を含む領域を監視領域に設定することを特徴とする。
【００１４】
また、本発明は、上記発明において、前記センサ部による検出結果を、前記貨幣処理装置で行われている処理と関連付けて保存する記憶部をさらに備えることを特徴とする。
【００１５】
また、本発明は、上記発明において、前記報知条件判定部は、前記センサ部によって検出した対象物の位置関係を３次元的に認識して、前記報知条件を満たすか否かを判定することを特徴とする。
【００１６】
また、本発明は、上記発明において、複数の監視領域を設定して、前記複数の監視領域のそれぞれに、異なる報知条件を設定可能であることを特徴とする。
【発明の効果】
【００１７】
本発明によれば、貨幣処理装置で行われる処理及び作業の内容に応じて、処理及び作業を正常に継続するために監視が必要な領域が自動的に監視領域として設定され、この監視領域の変化に応じて、必要な報知を行うことができる。例えば、筐体上に置かれた貨幣を監視して、この貨幣と無関係な第三者が、誤ってこの貨幣を持ち去ろうとしたり入金しようとしたりする場合に、誤りを報知することができるので、貨幣の紛失や処理の誤りを防止することができる。また、例えば、入金口又は出金口の近くに硬貨等の物体が置かれた場合に、物体を移動させるよう報知して、硬貨等の物体が入金口又は出金口から装置内に落下することを回避することができる。
【００１８】
また、本発明によれば、例えば、貨幣処理装置の筐体上に貨幣を置いたまま貨幣処理装置から離れる必要が生じた操作者は、所定のジェスチャーを行って監視領域を設定して、この監視領域に置いた貨幣を監視対象とすることができる。容易に監視領域を設定して監視領域内の物体を監視させることができるので、貨幣の紛失や処理の誤りを防止することができる。
【００１９】
また、本発明によれば、監視領域の変化を検出して、この検出結果を、貨幣処理装置で行われている処理等の情報と関連付けて記憶部に保存することができる。例えば、貨幣処理装置の筐体上で監視されていた貨幣が置き去りにされた場合には関連する情報が記憶部に保存されるので、記憶部に保存された情報を確認することにより、置き去りにされた貨幣に関する貨幣処理や貨幣を置き去りにした操作者を確認したり、この貨幣が出金されたものか、エラーの解除作業時に装置内から取り出されたものか等を判断したりすることができる。
【００２０】
また、本発明によれば、貨幣等の物体や操作者の手を撮像して２次元的に認識するだけではなく、物体、手、貨幣処理装置等の位置関係を３次元的に認識することができるので、例えば、撮像画像上では操作者の手が貨幣に触れているように見える場合でも、手と貨幣との間に距離があれば、この距離を認識することができる。例えば、操作者の手が貨幣に触れた場合に報知処理を実行するよう設定すれば、画像上では操作者の手が貨幣に触れたと判定される場合でも、実際には貨幣に手を触れていないと判定して報知処理は実行されない。これにより、画像のみを利用する場合のように、過剰に報知処理が実行されることがなく、必要な場合にのみ報知処理を実行することができる。
【図面の簡単な説明】
【００２１】
【図１】図１は、本実施形態に係る貨幣処理システムで行われる処理の概要を説明する図である。
【図２】図２は、貨幣処理システムの外観例を示す図である。
【図３】図３は、貨幣処理システムの構成概略を示すブロック図である。
【図４】図４は、貨幣処理システムで行われる処理の流れを示すフローチャートである。
【図５】図５は、貨幣処理システムで行われる報知処理の例を説明するための図である。
【発明を実施するための形態】
【００２２】
以下に、添付図面を参照して、本発明に係る貨幣処理システムについて詳細に説明する。本発明に係る貨幣処理システムは、紙幣、硬貨、小切手等を処理対象とするものであるが、本実施形態では、紙幣を例に説明することとする。
【００２３】
まず、本実施形態に係る貨幣処理システムで行われる処理の概要を説明する。図１は、貨幣処理システムで行われる処理の概要を説明する図である。貨幣処理システムは、貨幣処理部２０を含む貨幣処理装置１０に、画像センサ３１０及び深度センサ３２０と、画像投影部４００と、貨幣処理に係る情報の入力及び出力を行うための操作表示部４０と、貨幣処理を含む各処理を実現するために各部を制御する制御部３０とを含んで構成される。
【００２４】
貨幣処理部２０は、紙幣を入金するための入金口、紙幣を出金するための出金口、紙幣を収納するための収納部、紙幣の金種や真偽等を識別するための識別部、これら各部の間で紙幣を搬送するための搬送部等を含み、従来行われている入金処理や出金処理等の貨幣処理を実現する。貨幣処理部２０は、搬送部に詰まった紙幣の取り出し、収納部からの紙幣の回収及び収納部への紙幣の補充を行えるように、貨幣処理装置１０の前面側（図上右側）から、筐体の外側へ引き出せるようになっている。
【００２５】
画像センサ３１０は、貨幣処理装置１０を操作する操作者、貨幣処理装置１０で入出金される紙幣、貨幣処理装置１０の筐体上に置かれた物体等を、少なくとも貨幣処理装置１０の一部を含む形で撮像する機能を有する。深度センサ３２０は、物体の位置及びこの物体の奥行きを検出する機能を有する。深度センサ３２０の機能により、画像センサ３１０で撮像した操作者や物体等の位置関係を３次元的に認識できるようになっている。画像センサ３１０及び深度センサ３２０として、従来技術を利用することができるが、これについての詳細は後述する。
【００２６】
画像投影部４００は、貨幣処理装置１０の筐体上、貨幣処理装置１０の前面外側に引き出された貨幣処理部２０等に、静止画像及び動画像を投影する機能を有する。例えば、画像投影部４００としてプロジェクタを利用して、静止画像や動画像を投影することにより、操作者に情報を伝える報知処理を行うことができる。
【００２７】
制御部３０は、画像センサ３１０を利用して取得した画像と、該画像に含まれる人物や物体について深度センサ３２０を利用して取得した位置及び奥行きとに基づいて、貨幣処理装置１０を操作する操作者、操作者の骨格、操作者の顔、操作者の手、操作者が手に持っている物体、装置筐体上に置かれた物体等を検出する。また、制御部３０は、操作者や物体を検出すると、画像センサ３１０及び深度センサ３２０を利用して、検出した操作者の動作、手の動き、検出した物体の動き等を監視する。
【００２８】
画像センサ３１０、深度センサ３２０及び制御部３０は、貨幣処理部２０による貨幣処理が行われていない間も動作している。これにより、貨幣処理システムでは、貨幣処理開始前や貨幣処理終了後等、貨幣処理が実行されているか否かによらず、画像センサ３１０及び深度センサ３２０による検出範囲内に存在する人物及び物体の画像を取得すると共に、これらの人物及び物体の動きを監視することができる。これにより、例えば、貨幣処理を開始する前に、貨幣処理装置１０に近付いてくる人物とこの人物が手にしている貨幣とを認識して、この人物が行うであろう貨幣処理を予測して、対応する貨幣処理のメニューを表示することができる。また、例えば、貨幣処理を終えて立ち去る人物に忘れ物があることを知らせる報知処理を実行することができる。
【００２９】
図１に破線で囲んで示したように、制御部３０は、貨幣処理装置１０の筐体上又はその近傍に設定された監視領域内を監視する（Ａ１）。監視は、画像センサ３１０及び深度センサ３２０を利用して、操作者の位置及び動きと、物体の位置及び動きとを認識することによって行われる（Ａ２）。そして、制御部３０は、監視領域内での操作者及び物体に関する認識結果に基づいて、操作者への案内や警告等の報知（Ｂ１）と、操作者及び物体に関する情報記録（Ｂ２）とを行う。具体的には、例えば、入金口及び出金口を含むように筐体上に監視領域を設定して、この監視領域内で、入金口から所定距離の範囲内又は出金口から所定距離の範囲内に紙幣等の物体９０１が置かれると、この物体９０１を移動させるよう指示する警告が行われる。また、例えば、操作者が監視領域内に置いた紙幣を、第三者が誤って処理しようとしたり持ち去ろうとしたりした場合に、誤りを指摘する警告が行われる。また、例えば、貨幣処理、保守作業、エラー解除等を行う際に、操作者が行うべき操作や作業の内容を示す案内等の報知処理が行われる。
【００３０】
報知処理は、操作表示部４０への情報表示や音声案内によって行う他、画像投影部４００を利用して、静止画像や動画像を投影して行うこともできる。例えば、入金口や出金口等の貨幣処理装置１０上の部位、筐体上に置かれた貨幣や物品等に、所定のマークの静止画像を投影してその位置を示したり、筐体上からなくなった貨幣の静止画像を筐体上に投影してこの貨幣が持ち去られる前の状態を再現して示したり、エラー解除等の作業時に次に操作する部位に操作内容を示す動画像を投影して示したりすることができる。
【００３１】
例えば、貨幣処理システムでは、貨幣処理装置１０の筐体上に設定した監視領域内で、操作者が筐体上に置いた貨幣を監視している間に、操作者以外の人物を検出することなく、監視対象の貨幣が監視領域内から消えた場合には、操作者に対して、貨幣が筐体から落下した可能性があるので確認するよう促す報知処理が行われる。このとき、予め撮像しておいた、筐体上から消えた貨幣の静止画像を筐体上に投影することができるので、操作者は、落下した貨幣の内容を認識すると共に、貨幣が落下した可能性のある範囲を予測して調べることができる。このように、貨幣処理システムでは、従来の貨幣処理装置では検知できないような事象を検知して、必要に応じて報知処理を行える点に一つの特徴を有している。
【００３２】
なお、図１では、貨幣処理装置１０の筐体内で、操作表示部４０が配置された筐体前面側（図１右側）上部に、画像センサ３１０及び深度センサ３２０と、画像投影部４００とを配置した例を示しているが、本実施形態がこれに限定されるものではない。貨幣処理装置１０の操作者、操作者の顔や手の動き、貨幣処理装置１０の入金口及び出金口、紙幣等の物体を置くことができる筐体及びその周辺領域等を撮像することができれば、画像センサ３１０及び深度センサ３２０の数及び配置位置は特に限定されない。同様に、画像投影部４００についても、貨幣処理装置１０の操作者に対して、静止画像及び動画像を投影して報知処理を行うことができれば、画像投影部４００の数及び配置位置は特に限定されない。例えば、所望の領域を撮像できるように、画像センサ３１０を複数設けてもよいし、深度センサ３２０を複数設ける態様であっても構わない。同様に、所望の領域に画像を投影できるように、画像投影部４００を複数設けてもよい。例えば、画像センサ３１０、深度センサ３２０、画像投影部４００を、監視カメラのように天井に配置する態様であっても構わない。
【００３３】
また、画像センサ３１０、深度センサ３２０及び画像投影部４００を、貨幣処理装置１０から独立した形で配置する態様であってもよい。同様に、制御部３０についても、貨幣処理装置１０から独立した形で配置する態様であっても構わない。画像センサ３１０、深度センサ３２０、画像投影部４００及び制御部３０を、貨幣処理装置１０から独立した形で配置する態様とすれば、従来装置に、これらの構成を追加することにより本実施形態に係る貨幣処理システムを実現することが可能となる。
【００３４】
次に、具体的な貨幣処理装置１０を例に、貨幣処理システムについて詳細を説明する。図２は、貨幣処理装置１０を含む貨幣処理システムの外観例を示す図である。図２に示す貨幣処理装置１０は、金融機関の営業店で、テラーや出納員等の金融機関の従業者が利用する出納機である。出納機には、図２に示すバラ紙幣処理部１００及び束紙幣処理部２００の他、バラ硬貨を入出金するためのバラ硬貨処理部、包装硬貨を入出金するための包装硬貨処理部、損傷した紙幣である損券を入金するための損券処理部、損傷した硬貨である損貨を入金するための損貨処理部等を含む場合もあるが、説明を簡単にするため、本実施形態では、バラ紙幣処理部１００及び束紙幣処理部２００のみを示している。
【００３５】
バラ紙幣処理部１００は、筐体前面に、入金されるバラ紙幣を受け入れるためのバラ紙幣入金口１１０と、リジェクトされたバラ紙幣を投出するための入金リジェクト部１２０とを有し、筐体上面に、出金されるバラ紙幣を排出するためのバラ紙幣出金口１５２を有している。束紙幣処理部２００は、筐体前面上部に、束紙幣を排出するための帯封紙幣出金口２１８を有し、筐体前面下部に、束紙幣を機外へ投出するための帯封紙幣投出口２２１を有している。バラ紙幣処理部１００は、筐体内部に、紙幣搬送部、紙幣識別部、一時保留部、表裏反転部、紙幣収納部等を有し、束紙幣処理部２００は、筐体内部に、帯封部、帯封紙幣判別部、帯封紙幣収納部等を有している。また、バラ紙幣処理部１００と束紙幣処理部２００とは、内部で、所定枚数のバラ紙幣を受け渡し可能に接続されており、バラ紙幣処理部１００内で所定枚数に達したバラ紙幣を、束紙幣処理部２００内で結束できるようになっている。
【００３６】
貨幣処理装置１０の筐体上面には、操作表示部４０と、プリンタ５０と、センサ部３００と、画像投影部４００とが配置されている。操作表示部４０は、例えばタッチパネル式の液晶ディスプレイから成り、貨幣処理に関する情報の入力及び出力、貨幣処理に関する情報の報知等を行うために利用される。プリンタ５０は、貨幣処理に関する情報等を印字出力するために利用される。
【００３７】
なお、操作表示部４０及びプリンタ５０を利用して行う指示操作や情報出力、バラ紙幣処理部１００及び束紙幣処理部２００の機能及び動作、これらの機能及び動作によって実現される貨幣処理等については、従来の出納機による貨幣処理として知られているため詳細な説明は省略する。
【００３８】
センサ部３００は、ＣＣＤ又はＣＭＯＳ等、可視光画像を撮像するための撮像素子から成る画像センサ３１０と、赤外線パターン照射部３２０ａ及び赤外線カメラ３２０ｂから成る深度センサ３２０とを含む。センサ部３００は、バラ紙幣処理部１００及び束紙幣処理部２００を並べて配置した配置方向に長い本体部を有しており、この本体部には、配置方向中央部近傍に画像センサ３１０及び赤外線カメラ３２０ｂが設けられている。また、赤外線パターン照射部３２０ａは、本体部で、赤外線カメラ３２０ｂから配置方向一端側に離れた位置に設けられている。
【００３９】
操作者や物体を画像センサ３１０で撮像した可視光画像で、検出対象について予め設定された条件を満たす部分領域画像を探索する画像認識処理を行うことにより、画像に含まれる人や、紙幣等の物体を検出することができる。また、連続して撮像した各可視光画像を比較することにより、人や物体の動きを、画像の変化として検出することができる。画像上で検出対象を検出する処理及び検出対象の動きを検出する処理については従来技術を利用することができるので詳細な説明は省略する。
【００４０】
赤外線パターン照射部３２０ａは、操作者や物体の位置及び奥行きを検出するために、赤外線による所定パターンを照射する。そして、赤外線パターン照射部３２０ａから操作者や物体に向けて照射された赤外線パターンが、赤外線カメラ３２０ｂによって撮像される。例えば、赤外光による小径のスポット光を所定間隔でドットマトリクス状に配列した赤外線パターンを、赤外線パターン照射部３２０ａから物体に向けて照射すると、物体の形状によってドットマトリクスの配列状態が変化する。赤外線カメラ３２０ｂによって赤外線パターンを撮像して、スポット光の配列状態の変化を検出することにより、物体の位置及び奥行きを検出することができる。また、赤外線パターンの撮像を連続して行って、スポット光の配列状態の変化を時系列で監視することにより、物体の動きを検出することができる。なお、赤外線パターンに代えて、赤外線、超音波、光等を物体に照射して反射波を計測することにより物体迄の距離や物体形状を検出する態様であってもよいし、赤外線パターン、赤外線、超音波、光等を複合的に利用する態様であってもよい。深度センサ３２０についても、従来技術を利用することができるので詳細な説明は省略する。例えば、画像センサ３１０及び深度センサ３２０を備えるセンサ部３００として、マイクロソフト社製のＫｉｎｅｃｔセンサ（Ｋｉｎｅｃｔは登録商標）を利用することができる。
【００４１】
画像投影部４００は、プロジェクタから成り、貨幣処理装置１０の筐体上に静止画像及び動画像を投影する機能を有する。また、画像投影部４００は、貨幣処理装置１０の筐体内から、搬送部、識別部、紙幣収納部等を含む貨幣処理ユニットが装置外へ引き出された場合に、このユニット上に静止画像及び動画像を投影することもできる。画像投影部４００は、貨幣処理装置１０及び貨幣処理ユニットで、位置や領域、置かれた物体等を指し示したり、指し示した位置、領域、物体等に関して行うべき処理や作業を案内したり、置かれていた物体が消失した場合に消失した物体を再現して見せたりすることを目的として、静止画像又は動画像を投影する。
【００４２】
センサ部３００は、本体部の略中央部下面が、高さ方向の本体部位置を変更できるように上下方向に伸縮可能に構成された支持軸と、ボールジョイント結合されており、上下、左右、前後の３軸について本体部を回転できるようになっている。センサ部３００は、操作表示部４０及びプリンタ５０の上方から、バラ紙幣処理部１００の筐体上面、束紙幣処理部２００の筐体上面、操作表示部４０を操作してバラ紙幣処理部１００を利用する操作者の顔及び手、操作表示部４０を操作して束紙幣処理部２００を利用する操作者の顔及び手、貨幣処理装置１０の筐体内から引き出された貨幣処理ユニット等を、画像センサ３１０及び深度センサ３２０によって検出できるように、位置を調整して配置される。また、画像投影部４００は、センサ部３００の上方に設けられており、バラ紙幣処理部１００の筐体上面、束紙幣処理部２００の筐体上面、バラ紙幣処理部１００の筐体内から筐体外前方へ引き出された貨幣処理ユニット、束紙幣処理部２００の筐体内から筐体外前方へ引き出された貨幣処理ユニット等に静止画像及び動画像を投影できるように配置されている。
【００４３】
図３は、貨幣処理システムの構成概略を示すブロック図である。貨幣処理システムは、貨幣処理装置１０と、センサ部３００と、画像投影部４００とによって構成されている。貨幣処理装置１０は、図１及び図２を参照しながら説明した制御部３０、操作表示部４０、プリンタ５０、バラ紙幣処理部１００及び束紙幣処理部２００と、記憶部６０とを有している。
【００４４】
制御部３０は、画像取得部３１、監視領域設定部３２、動体検出部３３、人物監視部３４、物体監視部３５、貨幣処理内容認識部３６、報知条件判定部３７及び報知部３８を有している。制御部３０は、例えば、以下に説明する各機能及び各動作を実現するためのソフトウェアプログラム、当該ソフトウェアプログラムを実行するＣＰＵ、当該ＣＰＵによって制御される各種ハードウェア等によって構成される。
【００４５】
記憶部６０は、例えば半導体メモリやハードディスク等の不揮発性の記憶装置から成り、貨幣処理操作データ６１、監視領域データ６２、画像データ６３、物体管理データ６４、貨幣処理管理データ６５及び報知条件データ６６の保存に利用される。また、記憶部６０は、制御部３０の動作に必要なソフトウェアプログラムや一時データの保存にも利用される。
【００４６】
画像取得部３１は、画像センサ３１０によって画像を取得する機能を有する。具体的には、画像センサ３１０を利用して、貨幣処理装置１０に近付いてくる接近者、貨幣処理装置１０を操作する操作者、操作者の手、操作者が手に持つ紙幣等の物体、操作者が入出金する紙幣、貨幣処理装置１０の筐体上に置かれた物体等が含まれる領域を撮像した画像を取得する。画像取得部３１は、例えば、３０ｆｐｓのフレームレートで解像度ＶＧＡのカラーの可視光画像を取得して、記憶部６０に画像データ６３として保存する。画像データ６３は、古い画像の上に新しい画像を上書きしながらリングバッファ状に記録される所定時間分の画像データと、明示の指示がない限り他の画像による上書きを行わずに維持保管される画像データとを含んでいる。画像取得部３１は、通常は、リングバッファ状に順次画像データを上書きして記録しながら、消去せずに保存する必要が生じた画像データは、リングバッファとは異なる記憶領域にコピーして、上書きされないように保管する。
【００４７】
監視領域設定部３２は、画像センサ３１０及び深度センサ３２０によって操作者及び物体を検出可能な撮像範囲に監視領域を設定する機能を有する。監視領域の設定は、記憶部６０に監視領域データ６２として予め準備されている設定情報に基づいて自動設定する方法と、操作者による指示操作に基づいて手動設定する方法との２通りの方法で行えるようになっている。
【００４８】
自動設定では、監視領域設定部３２が、貨幣処理装置１０で行われる処理や作業の内容を認識して、この処理や作業に利用される構成部を含む領域を、自動的に監視領域に設定する。記憶部６０の監視領域データ６２には、処理及び作業に関連する構成部と、この構成部に対して設定する監視領域の位置及び大きさ等の情報とが、処理及び作業の内容と関連付けた状態で保存されている。監視領域設定部３２は、監視領域データ６２を利用して、各処理に応じた監視領域を設定する。例えば、バラ紙幣処理部１００で入金処理を行う場合には、紙幣を入金するバラ紙幣入金口１１０を含む所定領域が監視領域として自動設定される。また、出金処理を行う場合には、紙幣が出金されるバラ紙幣出金口１５２を含む所定領域と、帯封紙幣出金口２１８を含む所定領域とが、監視領域として自動設定される。なお、監視領域として自動設定する領域の位置、大きさ、数等は、設定により変更できるようになっている。例えば、入金処理時には、入金口を含む領域に加えて、リジェクトされたリジェクト紙幣が排出されるリジェクト部を含む領域を監視領域として自動設定することもできる。
【００４９】
手動設定では、監視領域設定部３２が、画像センサ３１０及び深度センサ３２０を利用して、操作者が行う所定の指示動作（ジェスチャー）を認識して監視領域を設定する。例えば、操作者が、紙幣、紙幣の入ったトレイ等の物体を貨幣処理装置１０の筐体上に置いて、この物体を含むように円形、矩形等の図形を筐体上に描く動作をすると、監視領域設定部３２は、この動作が監視領域を設定する指示動作であることを認識して、操作者が描いた図形を境界として境界内部の領域を監視領域として設定する。また、例えば、操作者が、貨幣処理装置１０の筐体上に物体を置いた直後に、親指等の所定の指を立てる、開いた手をかざす等の所定の動作を画像センサ３１０に向けて行うと、監視領域設定部３２は、この動作が監視領域を設定する指示動作であることを認識して、操作者が置いた物体を含む領域を監視領域として設定する。設定される監視領域の範囲は事前に設定できるようになっている。
【００５０】
動体検出部３３は、画像センサ３１０及び深度センサ３２０を利用して動体を検出する機能を有する。例えば、動体検出部３３は、画像センサ３１０で撮像された可視光画像の画像認識を行って人物や物体を認識すると共に、深度センサ３２０によって赤外線パターンを照射して撮像した赤外線画像から人物や物体の位置及び奥行きを認識して、これらの認識結果に基づいて、人物や物体を検出する。また、動体検出部３３は、連続して撮像された可視光画像及び赤外線画像を比較して得られる人物の動きからこの人物の手の位置を認識して、手に持った物体を検出する。動体検出部３３は、これらの検出結果を総合的に判断することにより、人物の動き、人物の手の動き、人物が手に持っている紙幣等の物体の動きを検出する。なお、深度センサ３２０による赤外線画像は、例えば、３０ｆｐｓのフレームレートでＱＶＧＡの解像度で取得される。
【００５１】
人物監視部３４は、動体検出部３３によって検出された人物の動きを監視する機能を有する。具体的には、人物監視部３４は、画像センサ３１０及び深度センサ３２０によって取得されたデータ等に基づいて、検出された人物の動作、顔の位置、顔の向き、手の位置、手の動き等を監視する。人物監視部３４による監視を行っている間に、監視領域設定部３２によって設定された監視領域に変化があると、この変化に関する情報が人物監視部３４から報知条件判定部３７に入力されるようになっている。
【００５２】
物体監視部３５は、動体検出部３３によって検出された物体の動きを監視する機能を有する。具体的には、物体監視部３５は、画像センサ３１０及び深度センサ３２０によって取得されたデータ、人物監視部３４によって監視される人物の手の位置や動きのデータ等に基づいて、検出された物体の動きを監視する。また、物体監視部３５は、紙幣等の物体が貨幣処理装置１０の筐体上に置かれると、この物体を置いた人物がセンサ部３００により検出できなくなった後も、置き去りにされた物体の監視を継続する。物体監視部３５による監視を行っている間に、監視領域設定部３２によって設定された監視領域に変化があると、この変化に関する情報が報知条件判定部３７に入力されるようになっている。
【００５３】
記憶部６０では、人物監視部３４が監視する操作者の画像データ及び物体監視部３５が監視する物体の画像データが、画像データ６３として保存される。また、物体監視部３５が監視する物体に関するデータは、物体管理データ６４として保存される。また、貨幣処理装置１０で行われた貨幣処理に関するデータは、貨幣処理管理データ６５として保存される。画像データ６３、物体管理データ６４及び貨幣処理管理データ６５は、各データ間で、対応するデータが関連付けて管理される。これにより、例えば、貨幣処理管理データ６５で管理される各貨幣処理について、画像データ６３を参照して貨幣処理を行った操作者の画像や処理対象となった貨幣の画像を確認したり、処理対象の貨幣が貨幣処理装置１０の筐体上に放置された場合には物体管理データ６４を参照して放置後の貨幣の状況を確認したりすることができる。
【００５４】
貨幣処理内容認識部３６は、操作表示部４０を操作して入力された内容に基づいて、貨幣処理装置１０の操作者、すなわち人物監視部３４によって監視中の人物が実行する貨幣処理の内容を認識する機能を有する。貨幣処理内容認識部３６によって、操作者が行おうとしている貨幣処理の内容が認識されると、これを示す情報が監視領域設定部３２に入力され、監視領域設定部３２によって監視領域が自動設定されるようになっている。
【００５５】
バラ紙幣処理部１００による貨幣処理及び束紙幣処理部２００による貨幣処理は、操作表示部４０を操作して、操作表示部４０上に表示された貨幣処理メニューの中から実行したい貨幣処理を指定して、入金金額や出金金額等、貨幣処理の実行に必要な情報を入力してから開始される。貨幣処理内容認識部３６は、操作表示部４０の操作内容から、操作者がこれから実行しようとしている貨幣処理の内容を認識すると、記憶部６０の貨幣処理操作データ６１を参照する。貨幣処理操作データ６１には、貨幣処理毎に、操作者が行う操作内容が登録されている。具体的には、例えば、バラ紙幣の入金処理が行われる場合には、入金処理の開始後、まずバラ紙幣入金口１１０が開いて、このバラ紙幣入金口１１０に紙幣が投入されるというように、操作者及び入金処理対象となる紙幣の動きを特定するために必要な情報が貨幣処理操作データ６１に登録されている。すなわち、センサ部３００を利用して検出した操作者や紙幣の動きが、実行中の貨幣処理で検出されるべき動きであるか否かを判定するために必要な情報が、貨幣処理操作データ６１として予め準備されている。
【００５６】
なお、貨幣処理操作データ６１には、保守作業やエラー解除作業に関する情報も含まれており、保守作業やエラー解除作業が行われる場合にも、これを認識して、作業時に操作員が行う作業手順や作業内容等を認識できるようになっている。
【００５７】
報知条件判定部３７は、動体検出部３３、人物監視部３４、物体監視部３５及び貨幣処理内容認識部３６で得られたデータに基づいて、監視領域設定部３２によって設定された監視領域内で、予め記憶部６０に保存されている報知条件データ６６に登録された報知条件を満たす状況が発生したか否かを判定する機能を有する。報知条件データ６６には、報知条件の他、報知する情報の内容、情報報知の対象となる報知対象者、情報を報知する方法等について規定された情報が含まれている。報知処理を実行する条件、報知する情報の内容、報知対象者、報知する方法等は、操作表示部４０を操作して事前に設定できるようになっている。報知条件判定部３７による処理の詳細は後述する。
【００５８】
報知部３８は、報知条件判定部３７が報知条件を満たすと判定した場合に、操作者等の報知対象者に向けて関連情報を報知する機能を有する。報知部３８は、報知条件を満たすと判定された状況に応じて、予め設定された関連情報を報知する。例えば、操作表示部４０に情報を表示したり、音や光を発したり、画像投影部４００によって画像を投影したりすることによって、報知対象者に向けて必要な情報を報知する。具体的には、操作表示部４０の画面上への情報表示、ＬＥＤ等による発光、スピーカ等による音声再生、予め設定された携帯端末や操作端末上へのメッセージ表示や電子メールの送信等によって報知処理が行われる。また、画像投影部４００を利用して報知を行うことも可能となっているが具体例は後述する。
【００５９】
次に、貨幣処理装置１０で貨幣処理が行われる際の監視処理及び報知処理について詳細を説明する。なお、バラ紙幣処理部１００及び束紙幣処理部２００で行われる貨幣処理の内容と、操作表示部４０やプリンタ５０を利用して貨幣処理時に行われる操作及び処理については、従来と同様であるため説明を省略することとし、以下では、本実施形態に係る監視処理及び報知処理を中心に説明することとする。
【００６０】
図４は、貨幣処理装置１０で貨幣処理が開始された際に行われる監視処理及び報知処理の流れを示すフローチャートである。貨幣処理装置１０の操作表示部４０を操作して貨幣処理が開始されると、貨幣処理内容認識部３６が、これから行われる貨幣処理の内容を認識して、認識結果が監視領域設定部３２に入力される。監視領域設定部３２は、記憶部６０の監視領域データ６２を参照して、貨幣処理内容に応じて予め設定された監視領域を自動設定する（ステップＳ１１）。
【００６１】
監視領域が設定されると、動体検出部３３、人物監視部３４、物体監視部３５が、監視領域内の操作者及び物体を監視するための動作を開始する。そして、報知条件判定部３７が、報知条件データ６６を参照して、監視領域内で検出された操作者や物体に関する報知処理が必要であるか否かを判定する（ステップＳ１２）。
【００６２】
報知条件判定部３７が、報知処理は不要であると判定した場合には（ステップＳ１２；Ｎｏ）、監視領域設定部３２により、監視領域を手動設定するか否かの判定が行われる（ステップＳ１４）。一方、報知条件判定部３７が、報知処理が必要であると判定した場合には（ステップＳ１２；Ｙｅｓ）、報知部３８による報知処理が実行される（ステップＳ１３）。
【００６３】
例えば、報知条件データ６６には、貨幣処理の妨げになる可能性がある物体があれば、この物体を移動させるよう指示するための報知条件が含まれている。例えば、入金口を開く処理が行われる場合には、入金口内部に貨幣や異物が落下することを回避するために監視領域が自動設定され、この監視領域内で、入金口から所定距離内にある物体が検出されると、この物体を移動させるよう指示する報知処理が行われる。同様に、出金口を開く処理が行われる場合には、出金口を含む所定領域から物体を移動させるよう指示する報知処理が行われる。
【００６４】
図５は、貨幣処理の開始直後に行われる報知処理の例を説明するための図である。例えば、操作者が、図５に示すように、バラ紙幣処理部１００の筐体上に、紙幣や硬貨が入ったキャッシュトレイ９０２を置いた状態で、操作表示部４０を操作して出金処理を開始しようとした場合には、紙幣が出金されるバラ紙幣出金口１５２を含む領域が監視領域として自動設定される。監視領域が設定されると、物体監視部３５は、監視領域を撮像した画像と、装置筐体上に何も置かれていない状態で撮像された基準画像とを比較することにより、バラ紙幣出金口１５２の上にキャッシュトレイ９０２が置かれていることを認識する。この認識結果を受けた報知条件判定部３７が報知条件を満たすと判定して、この判定結果を受けた報知部３８が、筐体上のキャッシュトレイ９０２を移動させるよう指示する報知処理を行う。
【００６５】
このとき、画像投影部４００を利用して、例えば、キャッシュトレイ９０２上に×印等の所定のマークを投影して、移動を指示した物体を指し示すことが可能となっている。また、画像投影部４００によって、バラ紙幣出金口１５２を含む円形領域を示すように、筐体上に円形画像を投影して、この領域より外側に、キャッシュトレイ９０２を移動させるよう指示することができる。また、バラ紙幣出金口１５２から離れた領域に、この領域を示す画像を投影して、投影した領域内にキャッシュトレイ９０２を移動させるように指示することもできる。
【００６６】
必要に応じて、貨幣処理開始後に自動設定された監視領域に関する報知処理（図４ステップＳ１３）を行った後、監視領域設定部３２は、手動設定による監視領域の設定を行うか否かを判定する（ステップＳ１４）。
【００６７】
例えば、操作者が、貨幣処理装置１０を利用して処理を行っている間に、貨幣処理装置１０から離れる必要が生じた場合に、操作者が、処理中の紙幣を貨幣処理装置１０の筐体上に置いて、この紙幣を囲うように指先で円形を描く動作を行うと、動体検出部３３及び人物監視部３４の機能により、この動作が監視領域を手動設定するための指示動作であることが認識される（ステップＳ１４；Ｙｅｓ）。この認識結果を受けた監視領域設定部３２は、操作者が描いた円形を境界として、境界内部の領域を、先に自動設定されていた監視領域に加えて、監視領域として設定する。こうして手動設定された監視領域は、記憶部６０の監視領域データ６２に登録される（ステップＳ１５）。
【００６８】
監視領域データ６２には、監視領域の位置及び大きさを特定するための情報、監視領域を手動設定した操作者を特定するための情報、監視領域が設定された日時を特定するための情報等が含まれている。また、物体監視部３５は、手動設定された監視領域内に置かれた紙幣を認識して、紙幣が置かれた日時を特定するための情報等、紙幣に関する情報を記憶部６０の物体管理データ６４に登録する。また、監視領域内に置かれた紙幣が、貨幣処理装置１０による出金処理で出金されたものである場合、入金処理途中の貨幣である場合等には、関連する貨幣処理を特定するための情報が、紙幣に関する情報として物体管理データ６４に登録される。また、筐体上に置かれた紙幣を撮像した静止画像と、この紙幣について監視範囲を手動設定した操作者を撮像した静止画像とが、記憶部６０の画像データ６３に登録される。これにより、記憶部６０を参照して、筐体上に紙幣を置いた操作者や、紙幣が置かれた日時等を確認できるようになっている。また、記憶部６０には、貨幣処理装置１０で行われた各貨幣処理の情報が貨幣処理管理データ６５として管理されているので、筐体上の紙幣に関する貨幣処理の内容を確認することができる。なお、監視領域データ６２、画像データ６３、物体管理データ６４、貨幣処理管理データ６５では、各データが操作者及び物体と関連付けて登録されており、各データの関連性を確認できるようになっている。
【００６９】
監視領域が設定されると（ステップＳ１５又はステップＳ１４；Ｎｏ）、動体検出部３３により、監視領域内の変化の有無が監視される（ステップＳ１６）。具体的には、動体検出部３３の機能を利用して、人物監視部３４は操作者を監視して、物体監視部３５は筐体上に置かれた紙幣等の物体を監視する。
【００７０】
監視領域内に変化が生じたことが検出されると（ステップＳ１６；Ｙｅｓ）、人物監視部３４及び物体監視部３５により、この変化を判定する処理が行われる。例えば、貨幣処理装置１０の筐体上に設定された監視領域内に、操作者が物体を置くと、これが変化として検出され、検出された物体が監視を必要とする物体であるか否かを判定する処理が行われる（ステップＳ１７）。
【００７１】
操作者が筐体上に紙幣を置いた場合には、物体監視部３５が、筐体上に置かれた物体は紙幣であり、監視が必要であると判定する（ステップＳ１７；Ｙｅｓ）。そして、物体監視部３５は、この紙幣を監視対象として、紙幣に関する情報を物体管理データ６４に登録すると共に、この紙幣を撮像した画像及びこの紙幣を置いた操作者を撮像した画像を画像データ６３に登録する（ステップＳ１８）。物体管理データ６４に登録された紙幣は、監視対象として継続して監視される。
【００７２】
また、例えば、監視領域内の変化として、監視領域内で監視している紙幣を、誤って第三者が持ち去ろうとしている場合には、人物監視部３４及び物体監視部３５によって、監視が必要であると判定される（ステップＳ１７；Ｙｅｓ）。そして、物体監視部３５は、既に監視対象として物体管理データ６４に登録されているこの紙幣に関する情報として、紙幣が持ち去られた日時等のデータを追加登録する（ステップＳ１８）。このとき、紙幣に触れる第三者の画像、紙幣を持ち去る第三者の画像等が画像データ６３に登録される。
【００７３】
一方、監視領域内で検出された変化が、監視領域を撮像する撮像範囲内を操作者の手や操作者が手にした紙幣等が通過するものである場合には、監視は不要であると判定される（ステップＳ１７；Ｎｏ）。このように、貨幣処理システムは、画像センサ３１０及び深度センサ３２０を含むセンサ部３００を利用して、人物の顔や手、貨幣等の物体、貨幣処理装置１０の一部等、画像センサ３１０によって撮像した対象物の位置関係を３次元的に認識して報知が必要であるか否かを判定する点に１つの特徴を有している。
【００７４】
監視領域内の変化を検出して、監視対象の登録又は更新、監視対象に関連する情報の登録又は更新等が行われると、続いて、報知条件判定部３７により、検出した監視領域内の変化が報知条件を満たすものであるか否か、すなわち報知処理が必要な事象であるか否かを判定する処理が行われる（ステップＳ１９）。
【００７５】
例えば、出金口を利用する処理中に、出金口に近い位置に紙幣等の物体が置かれた場合には、報知条件判定部３７は、報知条件を満たし、報知が必要であると判定する（ステップＳ１９；Ｙｅｓ）。そして、報知部３８による報知処理が行われる（ステップＳ２０）。具体的には、報知条件データ６６には、入金口又は出金口から装置内部に貨幣や異物が落下することを回避するための報知条件が設定されており、この報知条件を満たすと判定された場合には、操作者に対して、入金口に近い位置又は出金口に近い位置に置いた物体を移動させるよう警告する報知処理が行われる。
【００７６】
また、例えば、監視領域内で監視している紙幣を、誤って第三者が持ち去ろうとしている場合には、報知条件判定部３７が、報知条件を満たし、報知が必要であると判定して（ステップＳ１９；Ｙｅｓ）、報知部３８による報知処理が行われる（ステップＳ２０）。具体的には、報知条件データ６６には、例えば、途中で貨幣処理装置１０から離れなければならなくなった操作者が、自動設定された監視領域内又は操作者が手動設定した監視領域内に紙幣を置いて立ち去った場合に、この操作者以外の第三者が、置き去りにされた紙幣を誤って持ち去ったり処理したりすることを回避するための報知条件が設定されている。この報知条件を満たすと判定された場合には、第三者に対して、誤りを警告する報知処理が行われる。例えば、持ち去ろうとしている紙幣は他の操作者によって置かれたもので、第三者が処理権限を有する紙幣ではないため、紙幣を元の位置に戻すよう指示する報知処理が実行される。なお、第三者が、持ち去ろうとしていた紙幣を監視領域内に戻すと、再び、監視領域内での紙幣の監視が開始される。また、紙幣が、既に設定されている監視領域の外側に置かれた場合には、監視領域設定部３２は、この紙幣を含むように監視領域を設定し直して紙幣の監視を再開する。
【００７７】
一方、入金口に近い監視領域内又は出金口に近い監視領域内に置かれていた紙幣等の物体を、入金口及び出金口から離れた監視領域外の位置へ移動させる場合にも、これが監視領域内の変化として検出される（ステップＳ１６；Ｙｅｓ）。この場合は、監視されていた物体が監視領域内から領域外へ移動したことが認識され（ステップＳ１７；Ｙｅｓ）、この物体を監視対象から除外するために、物体管理データ６４が更新される（ステップＳ１８）。このような場合には、報知条件判定部３７は、報知は不要であると判定して（ステップＳ１９；Ｎｏ）、報知部３８による報知処理は行われないようになっている。
【００７８】
必要に応じて報知処理（ステップＳ２０）を実行した後、又は自動設定された監視領域及び手動設定された監視領域で変化が検出されなかった場合（ステップＳ１６；Ｎｏ）、監視領域の変化が検出されたが監視対象に関する変化ではなかった場合（ステップＳ１７；Ｎｏ）、監視対象に関する変化であるが報知処理は不要であった場合（ステップＳ１９；Ｎｏ）には、続いて、貨幣処理を実行中であるか否かを判定する処理が行われる（ステップＳ２１）。
【００７９】
貨幣処理を継続して実行中であれば（ステップＳ２１；Ｎｏ）、ステップＳ１４に戻って監視を継続する。一方、貨幣処理を終了すると（ステップＳ２１；Ｙｅｓ）、続いて、物体監視部３５が、物体管理データ６４に登録して監視していた物体が監視領域内に残っているか否かを判定する（ステップＳ２２）。
【００８０】
例えば、貨幣処理装置１０から出金されて筐体上に置かれた出金紙幣を監視対象として監視しているときに、出金紙幣が、貨幣処理を完了した後も筐体上に置かれたままの状態にあるときは（ステップＳ２２；Ｙｅｓ）、報知条件判定部３７は、報知条件を満たし、報知が必要であると判定する（ステップＳ２３；Ｙｅｓ）。そして、報知部３８による報知処理が行われる（ステップＳ２４）。報知条件データ６６には、貨幣処理完了後に操作者が貨幣等を置き忘れることを回避するための報知条件が設定されている。この報知条件を満たす場合には、操作者に対して、筐体上に置かれた紙幣を忘れないよう警告する報知処理が行われる。
【００８１】
なお、報知処理を行ったにも拘わらず、貨幣処理装置１０の筐体上に出金紙幣が置き去りにされた場合には、物体監視部３５が監視を継続する（ステップＳ２２；Ｙｅｓ）。貨幣処理が完了してから所定時間の間、又は報知処理が所定回数行われるまでの間は、報知条件判定部３７は報知が必要であると判定して（ステップＳ２３；Ｙｅｓ）、報知部３８による報知処理が繰り返される（ステップＳ２４）。そして、所定時間を経過した後、又は報知処理が所定回数行われた後は、報知条件判定部３７が報知は不要であると判定して（ステップＳ２３；Ｎｏ）、報知処理は行われなくなる。そして、予め設定された所定時間が経過した場合、又は紙幣を置き去りにした操作者が貨幣処理装置１０近傍に現れたことを検出した場合等、所定の報知条件を満たす場合に、再び、報知条件判定部３７により報知が必要であると判定されて（ステップＳ２３；Ｙｅｓ）、報知部３８による報知処理が行われるようになっている（ステップＳ２４）。
【００８２】
操作者が、監視対象とされていた紙幣を手にすることにより、紙幣が監視領域外へ移動して、監視領域内に監視対象としていた物体がなくなると（ステップＳ２２；Ｎｏ）、物体監視部３５は、監視対象として登録していた物体を監視対象から除外するために物体管理データ６４を更新すると共に、監視領域を解除するために監視領域データ６２を更新して（ステップＳ２５）、処理を完了する。このとき、監視領域、監視対象としていた物体に関するデータについては、記憶部６０から削除する態様の他、監視履歴として保存する態様であってもよい。
【００８３】
なお、貨幣処理管理データ６５に関し、貨幣処理管理データ６５では、完了した貨幣処理だけではなく、処理途中の貨幣処理に関する情報も管理されている。例えば、貨幣処理装置１０で入金処理を行っている操作者が、処理の途中で、処理中の紙幣を筐体上の監視領域内に置いて貨幣処理装置１０から離れた場合には、この紙幣に関する情報が記憶部６０内の貨幣処理管理データ６５等に登録される。筐体上に置かれた紙幣に、例えば、開いた手を所定時間かざすといった指示動作を行うと、報知条件判定部３７が、置かれた紙幣に関する情報を要求する指示操作であることを認識して報知処理が必要であると判定し、報知部３８が、筐体上の紙幣に関する情報を報知する報知処理を行う。操作表示部４０への情報表示や音声案内等の報知処理が行われることによって、紙幣を置いた操作者、紙幣がこの操作者によって入金処理の途中で置かれたものであること、貨幣処理装置１０が入金処理途中の状態にあること等を、確認できるようになっている。
【００８４】
図４及び図５では貨幣処理を例に監視処理及び報知処理を行う例を説明したが、これらの処理は、貨幣処理装置１０の保守作業やエラー解除の作業を行う場合にも行われるようになっている。例えば、貨幣処理中に装置内の搬送路等に貨幣が詰まるジャムと呼ばれるエラーが発生して、このエラーを解除する作業が必要になると、操作表示部４０で所定操作を行った後、貨幣処理装置１０の筐体前面側から装置内の貨幣処理ユニットが引き出される。エラー解除作業のために貨幣処理ユニットが引き出されたことを認識すると、監視領域設定部３２は、貨幣処理ユニット上に監視領域を自動設定する。そして、操作者が、誤った手順でエラー解除作業を行おうとすると、これが検知されて誤りが報知されると共に、正しい作業内容が報知されるようになっている。例えば、画像投影部４００により、作業が必要な部位に、作業内容を示す動画像を投影することによって作業内容を案内する報知処理が行われる。また、エラー解除の作業中に、貨幣処理ユニット上に工具等が置かれた場合には、これを監視して、エラー解除の作業終了時に、工具を取り除いてから貨幣処理ユニットを筐体内に戻すよう警告する報知処理が行われる。
【００８５】
このように、貨幣処理システムでは、貨幣処理システムで行われる処理内容に基づいて、この処理が誤りなく正常に継続されるように、監視が必要となる領域を監視領域に設定して監視することにより、必要に応じて適切な報知処理を行うことができる。また、操作者が、監視領域を手動で設定して、監視領域内に置いた紙幣等の物体を監視させることもできる。これにより、貨幣処理システムでは、各操作者が、容易かつ確実に各処理を進めることができる。
【００８６】
貨幣処理システムでは、貨幣処理装置１０の操作者が、容易かつ快適に貨幣処理を行えるように、操作者に応じた情報表示や報知処理を行えるようになっている。例えば、センサ部３００を利用して、貨幣処理装置１０を操作する操作者の身長を認識して、この操作者の目線に合わせた情報を、操作表示部４０に表示する。具体的には、例えば、操作表示部４０に、装置の外観をグラフィック表示する場合に、身長が高い操作者にはこの操作者から見た装置外観の画像を表示して、身長が低い操作者にはこの操作者から見た装置外観の画像を表示する。例えば、背の低い操作者が見落としやすい場所に関する注意喚起や、これとは逆に背の高い操作者が見落としやすい場所に関する注意喚起を行う際に、これらの場所を、各操作者の目線に合わせた装置画像上に示す。このように、各操作者が実際に装置を見た際の様子と一致する装置画像を操作表示部４０上に表示して、操作の案内、指示、注意喚起、警告等の報知処理を行うことにより、各操作者は、操作表示部４０に表示された内容を容易に認識して作業を進めることができる。
【００８７】
また、貨幣処理システムでは、貨幣処理を行う操作者の動きを記録して、各装置の改良等に利用できるようになっている。貨幣処理システムでは、センサ部３００によって操作者の骨格を認識して、操作者の頭や手の動きを骨格座標の変化として記憶部６０に記録して保存できるようになっている。操作者の動きを座標の変化としてテキストデータで記録することにより、動画像で記録する場合に比べてデータ容量を圧縮することができる。また、金融機関等で多数の従業者による動作のデータを収集する場合でも、従業者の顔が記録されることがないため従業者のプライバシーを保護できるようになっている。
【００８８】
また、貨幣処理システムでは、貨幣処理装置１０で行われる貨幣処理、保守作業、エラー解除作業等の内容と、これらの処理及び作業を行う各操作者の動きを認識することができるので、これを利用して、各操作者に応じた報知処理を行うことができる。例えば、エラー解除作業を行う操作者が、同じ作業内容について、所定回数以上繰り返して誤った作業を行った場合には、この操作者が、次に同じエラー解除作業を行う場合に、誤った作業を繰り返さないように、事前に作業内容を案内する報知処理が行われるようになっている。また、この報知処理では、音声、文字、画像等によって注意を喚起する態様の他、画像投影部４００によって、作業を行う部位に、作業内容を示す動画像を投影できるようになっている。これにより、操作者は、作業対象となる部位や作業内容を認識して、誤りなく作業を進めることができる。
【００８９】
なお、本実施形態では、手動設定により監視領域を追加設定する態様を示したが、追加する監視領域の数、位置及び大きさは、センサ部３００によって監視可能な範囲であれば特に限定されない。例えば、設定済みの監視領域内に、別の監視領域を設定することができる。また、例えば１人の操作者が複数の監視領域を手動設定することも可能であるし、第１の操作者が第１の監視領域を手動設定して、第１の操作者とは異なる第２の操作者が第２の監視領域を手動設定することも可能となっている。貨幣処理システムでは、監視領域及び監視対象、これらに関連する情報等が、操作者と関連付けて管理されるので、例えば、貨幣処理装置１０を利用して、複数の操作者が並行して処理を行うような場合でも、図４に示した処理を各操作者に対して行うことができる。なお、各操作者の識別は、貨幣処理装置１０で行われる認証処理、各操作者の顔画像を認識する顔認識処理等によって行うようになっている。また、例えば、第１の監視領域では第１の操作者以外の人物を監視するように報知条件を設定して、第２の監視領域では第２の操作者以外の人物を監視するというように、監視領域毎に、異なる報知条件を設定することができる。
【００９０】
また、図２に示した貨幣処理装置１０の構造から、筐体上面を含むように監視領域を設定する例を示したが、監視領域を設定する領域がこれに限定されるものではない。例えば、貨幣処理装置１０の筐体側方に貨幣等を置くスペースが設けられていれば、このスペースを含むように監視領域を設定する。入金口や出金口等、貨幣処理装置の少なくとも一部を含む領域を画像センサ３１０によって撮像して、撮像範囲内に監視領域を設定する。
【００９１】
また、画像投影部４００については、これに代えて、レーザーポインターを利用する態様であっても構わない。レーザーポインターを利用することにより、プロジェクタを利用する場合に比べて安価な構成としながら、監視領域や報知処理の対象となった物体をレーザーポインターによって示すことにより、操作者は、報知内容を容易に認識することができる。
【００９２】
上述してきたように、本実施形態に係る貨幣処理システムによれば、自動設定された監視領域及び手動設定された監視領域を対象として、監視領域内にある貨幣等の物体を監視して、必要な場合にのみ報知処理を行うことができる。これにより、各操作者は、貨幣処理等、貨幣処理システムで行う作業を容易に進めることができる。
【００９３】
例えば、装置筐体上に貨幣が置き去りにされそうになった場合、貨幣が該貨幣に関する処理権限を有さない第三者によって持ち去られそうになった場合、処理権限を有さない貨幣を誤って入金しようとした場合等に、これを防止するための報知処理がなされるので、各操作者は、自身の担当する貨幣処理を確実に進めることができる。
【００９４】
また、監視領域や監視対象に関する情報が、検出された日時、関連する貨幣処理、監視対象や操作者を撮像した画像等と共に管理されるので、例えば、監視対象としていた貨幣が持ち去られたような場合でも、この貨幣に関する貨幣処理及び監視処理の履歴を確認したり、貨幣の画像や貨幣を持ち去った者の画像を確認したりすることができる。これにより、貨幣処理に関する問題が発生した場合でも、この問題を解決するための調査を容易に進めることができる。
【産業上の利用可能性】
【００９５】
以上のように、本発明に係る貨幣処理システムは、貨幣処理装置で行われる処理や作業を正常な状態で継続できるように、必要に応じて操作の案内、警告等の報知を行うために有用である。
【符号の説明】
【００９６】
１０  貨幣処理装置
２０  貨幣処理部
３０  制御部
３１  画像取得部
３２  監視領域設定部
３３  動体検出部
３４  人物監視部
３５  物体監視部
３６  貨幣処理内容認識部
３７  報知条件判定部
３８  報知部
４０  操作表示部
５０  プリンタ
６０  記憶部
１００  バラ紙幣処理部
１１０  バラ紙幣入金口
１２０  入金リジェクト部
１５２  バラ紙幣出金口
２００  束紙幣処理部
２１８  帯封紙幣出金口
２２１  帯封紙幣投出口
３００  センサ部
３１０  画像センサ
３２０  深度センサ
３２０ａ  赤外線パターン照射部
３２０ｂ  赤外線カメラ
４００  画像投影部
【図１】
0006461595.tif 000002
【図２】
0006461595.tif 000003
【図３】
0006461595.tif 000004
【図４】
0006461595.tif 000005
【図５】
0006461595.tif 000006